(57)【要約】【課題】  かご上制御装置の保守・点検時には、かご上に乗ることなく、安全なかご室内から保守・点検が行えるエレベータのかご室を得る。【解決手段】  かご室１と、かご室の正面出入口を開閉する引き戸式のかご扉２と、かご扉やかご室の機器を制御するかご上制御装置１０とを備えたものにおいて、かご室の正面出入口と対向する背面壁に開閉自在に設けられ、かご室の内側に向かって開放される点検用扉６、７と、通常のエレベータ運行時は点検用扉の裏面側に位置するように設けられ、点検用扉の開放時にはかご室内側からの保守・点検作業が可能な位置に移動可能なように取り付けられたかご上制御装置１０とを備える。【選択図】    図２
2006143418.tif 000002
【特許請求の範囲】
【請求項１】
かご室と、前記かご室の正面出入口を開閉する引き戸式のかご扉と、前記かご扉やかご室の機器を制御するかご上制御装置とを備えたエレベータのかご室において、
前記かご室の正面出入口と対向する背面壁に開閉自在に設けられ、前記かご室の内側に向かって開放される点検用扉と、
通常のエレベータ運行時は前記点検用扉の裏面側に位置するように設けられ、前記点検用扉の開放時には前記かご室内側からの保守・点検作業が可能な位置に移動可能なように取り付けられたかご上制御装置と、
を備えたことを特徴とするエレベータのかご室。
【請求項２】
かご室と、前記かご室の正面出入口を開閉する引き戸式のかご扉と、前記かご室の正面出入口と対向する背面壁下部の外側に設けられたトランクと、前記トランクの入口を開閉する開き戸式のトランク扉と、前記かご扉やかご室の機器を制御するかご上制御装置とを備えたトランク付エレベータのかご室において、
前記かご室の正面出入口と対向する背面壁上部でかつ前記トランク扉の上部に開閉自在に設けられ、前記かご室の内側に向かって開放される点検用扉と、
前記トランクの上部に設けられた支持部材兼用の案内部材と、
通常のエレベータ運行時は前記支持部材兼用の案内部材に支持固定されており、前記点検用扉の開放時には前記支持部材兼用の案内部材により前記かご室内側からの保守・点検作業が可能な位置に移動可能なように取り付けられたかご上制御装置と、
を備えたことを特徴とするトランク付エレベータのかご室。
【請求項３】
支持部材兼用の案内部材は、奥行き方向に延長された移動案内用の長孔が形成され、前記長孔を挿通する締結具によりかご上制御装置を支持部材兼用の案内部材に支持固定し、また前記締結具を緩め前記長孔に沿って前記かご上制御装置を移動させることにより、前記かご上制御装置をかご室内側に位置させるようにしたことを特徴とする請求項２記載のトランク付エレベータのかご室。
【請求項４】
締結具を緩め長孔に沿ってかご上制御装置を移動させた後、前記かご上制御装置を奥側の締結具を支点として下向きに回動させて、かご上制御装置の上面をかご室内側へ向けるようにしたことを特徴とする請求項３記載のトランク付エレベータのかご室。
【請求項５】
かご室と、前記かご室の正面出入口を開閉する引き戸式のかご扉と、前記かご室の正面出入口と対向する背面壁下部の外側に設けられたトランクと、前記トランクの入口を開閉する開き戸式のトランク扉と、前記かご扉やかご室の機器を制御するかご上制御装置とを備えたトランク付エレベータのかご室において、
前記かご室の正面出入口と対向する背面壁上部でかつ前記トランク扉の上部に開閉自在に設けられ、前記かご室の内側に向かって開放される点検用扉と、
通常のエレベータ運行時は閉じられた前記点検用扉の裏面側に取り付けられており、前記点検用扉の開放時には前記点検用扉とともに前記かご室内側からの保守・点検作業が可能な位置に移動するかご上制御装置と、
を備えたことを特徴とするトランク付エレベータのかご室。
【発明の詳細な説明】
【技術分野】
【０００１】
この発明は、かご室内に設けられた点検用扉を開けた時に、かご上制御装置をかご室内に位置させることができるようにしたエレベータのかご室に関するものである。
【背景技術】
【０００２】
従来のトランク付エレベータのかご室としては、例えば図６に示すようなものがある。図６において、１０１は昇降路内に設置されたかごである。このかご１０１にはトランク１０５が付いており、トランク１０５には開閉自在に設けられた両開き戸（観音開き）式のトランク扉１０６、１０７が設けられている。また、かご１０１には人、物が乗降する為に設けられた両引き戸式の扉１０２がロープ(図示せず)を介して巻取機１０４によってその開閉をコントロールされ、巻取機１０４はかご上制御装置１１０によって制御されている。一般的にエレベータのかご上制御装置１１０の配置は取り付けの関係上、かご１０１の上部に置いている。
このように、かご１０１の上部にかご上制御装置１１０を設置すると、このかご１０１の上に、乗場より乗り込み、かご上にてかご上制御装置１１０を点検する必要がある。
また、他の従来技術として、自転車等の荷物の一部を載置するための収納部がトランク部の扉に設けられたエレベータのトランク付かご室が知られている（例えば、特許文献１参照）。
【０００３】
【特許文献１】特開２００３−１２２５３号公報
【発明の開示】
【発明が解決しようとする課題】
【０００４】
従来のトランク付エレベータのかご室にあっては、かご上制御装置１１０を保守・点検するには、エレベータかご１０１を乗場から乗り込める位置へ誘導し、かご上に作業員がわざわざ乗り込まなければならず、煩わしく、また、かご上での作業となり、安全性の面でも課題があった。
また、特許文献１記載のものは、かご上制御装置の保守・点検について考慮したものではなかった。
【０００５】
この発明は、上述のような課題を解決するためになされたもので、その目的は、かご上制御装置の保守・点検時には、かご上に乗ることなく、安全なかご室内から保守・点検が行えるエレベータのかご室を提供するものである。
【課題を解決するための手段】
【０００６】
この発明に係るエレベータのかご室は、かご室と、かご室の正面出入口を開閉する引き戸式のかご扉と、かご扉やかご室の機器を制御するかご上制御装置とを備えたものにおいて、かご室の正面出入口と対向する背面壁に開閉自在に設けられ、かご室の内側に向かって開放される点検用扉と、通常のエレベータ運行時は点検用扉の裏面側に位置するように設けられ、点検用扉の開放時にはかご室内側からの保守・点検作業が可能な位置に移動可能なように取り付けられたかご上制御装置とを備えたものである。
【０００７】
また、この発明に係るトランク付エレベータのかご室は、かご室と、かご室の正面出入口を開閉する引き戸式のかご扉と、かご室の正面出入口と対向する背面壁下部の外側に設けられたトランクと、トランクの入口を開閉する開き戸式のトランク扉と、前記かご扉やかご室の機器を制御するかご上制御装置とを備えたものにおいて、かご室の正面出入口と対向する背面壁上部でかつトランク扉の上部に開閉自在に設けられ、かご室の内側に向かって開放される点検用扉と、トランクの上部に設けられた支持部材兼用の案内部材と、通常のエレベータ運行時は支持部材兼用の案内部材に支持固定されており、点検用扉の開放時には支持部材兼用の案内部材によりかご室内側からの保守・点検作業が可能な位置に移動可能なように取り付けられたかご上制御装置とを備えたものである。
【発明の効果】
【０００８】
この発明によれば、かご上制御装置の保守、点検作業はかご上に乗らずにかご室内から行うことができ、作業は安全かつ簡便となる。また、トランクの上部はかご上制御装置以外の他の昇降路機器との干渉を考えずにかご上制御装置を配置することができ、点検用扉を開けたときには、案内部材によって、または、点検用扉とともに、かご上制御装置をかご室内に位置させることができるようにしたので、かご上制御装置の保守、点検作業はかご上に乗らずにかご室内から行うことができ、作業は安全かつ簡便となる。
【発明を実施するための最良の形態】
【０００９】
実施の形態１．
図１はこの発明の実施の形態１におけるトランク付エレベータのかご室の全体構造を正面側から見た斜視図、図２はこの発明の実施の形態１におけるトランク付エレベータのかご室の要部構造を示す斜視図、図３はこの発明の実施の形態１におけるトランク付エレベータのかご室のかご上制御装置の取り付け方を示す斜視図、図４はかご上制御装置をかご室内に位置させた状態を示す図３相当図である。
図１において、１はトランク付エレベータのかごである。このかご１の正面出入口には人、物が乗降する為の両引き戸式の扉２が設置されている。この扉２はロープ３を介して巻取機４と連結されており、この巻取機４を正逆回転させることにより、ロープ３を介して扉２は左右に開閉される。また、かご１の正面出入口と対向する背面壁下部の外側にはトランク５が取り付けられている。このトランク５には両開き戸（観音開き）式のトランク扉６、７が開閉自在に配設されている。
【００１０】
図２に示すように、かご１の背面壁下部に取り付けられたトランク５には両開き戸式のトランク扉６、７が開閉自在に配設されており、このトランク扉６、７はかご室内からかご室内側に向けて開放するようにした仕様である。また、トランク５の上部には機器等が取り付け可能な空間が形成されており、かご１の背面壁上部には、トランク５上部の空間へアクセスする為の両開き戸式の点検用扉８、９が開閉自在に取り付けられている。
【００１１】
点検用扉８、９の裏面側にはトランク５の上部空間が位置しているが、このトランク５の上面部にはかごの扉２を制御する為のかご上制御装置１０が取り付けられている。すなわち、図３に示すように、トランク５の上面部には互いに対向する左右一対のＬ形アングルからなる支持部材兼用の案内部材２１、２２の各水平部が所定の間隔を置いて固定されている。この支持部材兼用の案内部材２１、２２の互いに対向する垂直片２１ａ、２２ａには、かご１の奥行き方向に沿って延長された移動案内用の長孔２３、２４が形成されている。トランク５の上部前面には、この支持部材兼用の案内部材２１、２２と同じ幅で、かご上制御装置１０の高さよりやや大きいトランク上部穴１１が設けられている。また、かご上制御装置１０の左右両側面は、長孔２３、２４をそれぞれ挿通する手前側のボルト２５、２７からなる締結具及び奥側のボルト２６、２８からなる支持具兼用の締結具によって支持部材兼用の案内部材２１、２２に支持固定されている。このため、かご上制御装置１０は点検用扉８、９の裏面側にあり、トランク５の上部に位置することになる。
【００１２】
かご上制御装置１０は通常のエレベータ運行時には、図３に示すように、トランク５の上部に固定された支持部材兼用の案内部材２１、２２を介して取り付けられている。このとき、かご上制御装置１０は長孔２３、２４を挿通する手前側のボルト２５、２７及び奥側のボルト２６、２８からなる締結具によって支持部材兼用の案内部材２１、２２に支持固定されている。
【００１３】
かご上制御装置１０の保守、点検時には、図２に示すように、かご室内から点検用扉８、９を開ける。次に、かご上制御装置１０を取り付けていた手前側のボルト２５、２７は緩めて取り外し、奥側のボルト２６、２８の方は緩めるだけでそのままとし、図４に示すように、この奥側のボルト２６、２８を支持具として長孔２３、２４内に沿って移動させて、かご上制御装置１０を点検用扉８、９側（かご室内側）へ移動させる。
【００１４】
次に、かご上制御装置１０を奥側のボルト２６、２８を支点として下向きに回動させ、かご上制御装置１０の上面１０ａを点検用扉８、９側（かご室内側）へ向ける。このとき、かご上制御装置１０はかご室内に位置するので、この保守・点検作業はかご上に乗らずに、かご室内から行うことができる。
【００１５】
次に、かご上制御装置１０の保守・点検作業が終了したら、かご上制御装置１０を元に戻すために、上記と逆の手順にて復帰作業を行い、かご上制御装置１０を元のトランク５の上部位置に再び支持固定させれば良い。
【００１６】
以上説明したように、実施の形態１によれば、トランクの上部はかご上制御装置以外の他の昇降路機器との干渉を考えずにかご上制御装置を配置することができ、点検用扉を開けたときには、案内部材によって、かご上制御装置をかご室内に位置させることができるようにしたので、かご上制御装置の保守、点検作業はかご上に乗らずにかご室内から行うことができ、作業は安全かつ簡便となる。また、従来、かご上にあったかご上制御装置をトランク上に設置することで、かご上では、かご上制御装置以外のかご上機器及び昇降路機器のメンテナンス用作業床スペースの確保が可能となる。
【００１７】
実施の形態２．
図５はこの発明の実施の形態２におけるトランク付エレベータのかご室の全体構造を背面側から見た斜視図である。
上記実施の形態１では、トランクの上部に支持部材兼用の案内部材、支持具兼用の締結具等を用いてかご上制御装置１０を支持固定しておき、保守・点検時には、かご上制御装置１０を移動・回動させてかご室内側に位置するようにしているが、この実施の形態２は、図５に示すように、トランク５の上部には機器等が取り付け可能な空間が形成されており、かご１の背面壁上部には、トランク５上部の空間へアクセス可能な片開き戸式の点検用扉９が開閉自在に取り付けられている。そして、この点検用扉９の裏面側にかご上制御装置１０を取り付けたものである。
このように構成しても、点検用扉９を開けるだけで、かご上制御装置１０をかご室内に位置させて、保守・点検作業ができ、作業性に優れ好適なものである。
【００１８】
以上説明したように、実施の形態２によれば、点検用扉を開けたときには、点検用扉とともに、かご上制御装置をかご室内に位置させることができるようにしたので、かご上制御装置の保守、点検作業はかご上に乗らずにかご室内から行うことができ、作業は安全かつ簡便となる。また、従来、かご上にあったかご上制御装置を点検用扉の裏面側に設置することで、かご上では、かご上制御装置以外のかご上機器及び昇降路機器のメンテナンス用作業床スペースの確保が可能となる。
【図面の簡単な説明】
【００１９】
【図１】この発明の実施の形態１におけるトランク付エレベータのかご室の全体構造を正面側から見た斜視図である。
【図２】この発明の実施の形態１におけるトランク付エレベータのかご室の要部構造を示す斜視図である。
【図３】この発明の実施の形態１におけるトランク付エレベータのかご室のかご上制御装置の取り付け方を示す斜視図である。
【図４】かご上制御装置をかご室内に位置させた状態を示す図３相当図である。
【図５】この発明の実施の形態２におけるトランク付エレベータのかご室の全体構造を背面側から見た斜視図である。
【図６】従来のトランク付エレベータのかご室を示す正面図である。
【符号の説明】
【００２０】
１  かご
２  両引き戸式の扉
３  ロープ
４  巻取機
５  トランク
６、７  両開き戸式のトランク扉
８、９  開き戸式の点検用扉
１０  かご上制御装置
１０ａ  上面
１１  トランク上部穴
２１、２２  支持部材兼用の案内部材
２３、２４  長穴
２５、２７  手前側のボルト（締結具）
２６、２８  奥側のボルト（支持具兼用の締結具）
【図１】
2006143418.tif 000003
【図２】
2006143418.tif 000004
【図３】
2006143418.tif 000005
【図４】
2006143418.tif 000006
【図５】
2006143418.tif 000007
【図６】
2006143418.tif 000008